(57)【要約】顧客に価格割引サービスを提供するジャックポット割引率を用いた電子商取引システムが開示される。そのために、複数の購買者端末機から伝送された購買情報に基づいて電子商取引の収益率を分析し、前記収益率が指定収益率を超えると、超過収益率に応じて、入札製品の販売による期待収益を超えたジャックポット割引率を抽出し、前記ジャックポット割引率が適用されたジャックポット価格を決定し、前記ジャックポット価格に関する情報を前記購買者端末機に提供するウェブサーバを含む、ジャックポット割引率を用いた電子商取引システムを提供する。本発明によれば、収益の発生に応じてジャックポット割引率が適用された価格で入札製品を購買する機会を提供することによって、顧客の期待感を刺激してショッピングモールの訪問回数を増加させることができる。
2019502205.tif 000002
【特許請求の範囲】
【請求項１】
入札製品の販売情報を格納し、配信するウェブサーバ、及び前記ウェブサーバに有無線通信網を含むネットワークを介して接続し、選択的に入札製品の販売情報の提供を受け、前記ウェブサーバに購買情報を提供する複数の購買者端末機を含む電子商取引システムであって、
前記ウェブサーバは、
複数の購買者端末機から伝送された購買情報を格納し、蓄積された購買情報を分析してジャックポット割引率を抽出し、前記ジャックポット割引率が適用されたジャックポット価格を決定し、前記ジャックポット価格に関する情報を前記購買者端末機に提供することを特徴とする、ジャックポット割引率を用いた電子商取引システム。
【請求項２】
前記ウェブサーバは、
前記購買情報に基づいて電子商取引の収益率を分析し、前記収益率が指定収益率を超えると、超過収益率に応じて、入札製品の販売による期待収益を超えたジャックポット割引率を抽出し、前記ジャックポット割引率が適用されたジャックポット価格を決定し、前記ジャックポット価格に関する情報を前記購買者端末機に提供することを特徴とする、請求項１に記載のジャックポット割引率を用いた電子商取引システム。
【請求項３】
前記ウェブサーバは、
前記購買情報に基づいて累積販売数量を分析して、前記販売数量の区間別に指定されたジャックポット割引率を抽出し、前記ジャックポット割引率が適用されたジャックポット価格を決定し、前記ジャックポット価格に関する情報を前記購買者端末機に提供することを特徴とする、請求項１に記載のジャックポット割引率を用いた電子商取引システム。
【請求項４】
前記ウェブサーバは、
前記購買情報に基づいて累積販売回数を分析して、前記販売回数別に指定されたジャックポット割引率を抽出し、前記ジャックポット割引率が適用されたジャックポット価格を決定し、前記ジャックポット価格に関する情報を前記購買者端末機に提供することを特徴とする、請求項１に記載のジャックポット割引率を用いた電子商取引システム。
【請求項５】
前記ウェブサーバは、
前記ネットワークを介して購買者端末機に入札製品の販売情報を送信し、前記購買者端末機から入札製品に対する購買情報を受信する通信手段と、
前記入札製品の販売情報、購買情報、入札製品当たりの販売による期待収益ＤＢ、及び超過収益別のジャックポット割引率ＤＢを格納する情報格納手段と、
前記購買情報及び期待収益ＤＢを介して電子商取引の収益率を分析し、前記収益率に応じてジャックポット割引率ＤＢからジャックポット割引率を抽出するジャックポット割引率抽出手段と、
プロセッサを制御するためのプログラム、及び前記通信手段、情報格納手段及びジャックポット割引率決定手段に接続されて前記各手段を制御し、前記ジャックポット割引率抽出手段から抽出されたジャックポット割引率が適用された入札製品のジャックポット価格を決定するプロセッサを含む、ホスト部とを含むことを特徴とする、請求項１に記載のジャックポット割引率を用いた電子商取引システム。
【請求項６】
入札製品の販売情報を格納し、配信するウェブサーバ、及び前記ウェブサーバに有無線通信網を含むネットワークを介して接続し、選択的に入札製品の販売情報の提供を受け、前記ウェブサーバに購買情報を提供する複数の購買者端末機を含む電子商取引システムであって、
前記ウェブサーバは、
前記購買者端末機から要求信号が受信されることによって変動割引率を決定し、前記変動割引率が適用された前記入札製品のセール価格を決定し、前記セール価格に関する情報を前記要求信号を送信した購買者端末機に提供し、前記購買情報に基づいて電子商取引の収益率を分析して、前記収益率が指定収益率を超えると、超過収益率に応じて、入札製品の販売による期待収益及び変動割引率を超えたジャックポット割引率を抽出し、前記ジャックポット割引率が適用されたジャックポット価格を決定し、前記ジャックポット価格に関する情報を前記購買者端末機に提供することを特徴とする、ジャックポット割引率を用いた電子商取引システム。
【請求項７】
前記要求信号は、
仮想マネー決済、無料参加、及び広告視聴のいずれか１つの要求信号であることを特徴とする、請求項６に記載のジャックポット割引率を用いた電子商取引システム。
【請求項８】
前記ウェブサーバは、
広告視聴要求信号が受信される場合、当該購買者端末機に、指定された時間の間ポップアップ広告を露出させた後、セール価格に関する情報を伝送し、無料参加要求信号が受信される場合、当該購買者端末機に、ポップアップ広告よりも長い時間をカウントした後、セール価格に関する情報を伝送するように構成されたことを特徴とする、請求項７に記載のジャックポット割引率を用いた電子商取引システム。
【請求項９】
前記電子商取引の収益率は、
単一の入札製品、単一の入札製品類、及び単一のカテゴリのいずれか１つの分類別に分けて分析することを特徴とする、請求項６に記載のジャックポット割引率を用いた電子商取引システム。
【請求項１０】
前記ウェブサーバは、
前記ネットワークを介して購買者端末機に入札製品の販売情報を送信し、前記購買者端末機から入札製品に対する購買情報を受信する通信手段と、
前記入札製品の販売情報、購買情報、入札製品当たりの販売による期待収益ＤＢ、及び超過収益別のジャックポット割引率ＤＢを格納する情報格納手段と、
前記購買情報及び期待収益ＤＢを介して電子商取引の収益率を分析し、前記収益率に応じてジャックポット割引率ＤＢからジャックポット割引率を抽出し、前記ジャックポット割引率が適用されたジャックポット価格を決定するジャックポット価格決定手段と、
プロセッサを制御するためのプログラム、及び前記通信手段、情報格納手段及びジャックポット価格決定手段に接続されて前記各手段を制御し、前記プログラムに従って、前記販売情報を分析して、最大割引率の範囲内で時間帯別の不規則な変動割引率が適用された入札製品のセール価格を決定するプロセッサを含む、ホスト部とを含むことを特徴とする、請求項６に記載のジャックポット割引率を用いた電子商取引システム。
【請求項１１】
前記変動割引率としては、
時間単位別に規則的な上昇又は下落を行うダイレクト割引率、時間単位別に不規則な上昇及び下落を繰り返すランダム割引率、及び時間単位別に規則的な上昇又は下落を行う途中で、不規則な上昇及び下落を繰り返すダイレクトランダム割引率のいずれか１つがランダムに選択されて使用されることを特徴とする、請求項６に記載のジャックポット割引率を用いた電子商取引システム。
【発明の詳細な説明】
【技術分野】
【０００１】
本発明は、顧客に価格割引サービスを提供するジャックポット割引率を用いた電子商取引システムに関し、入札製品の販売による収益の発生に応じて割引率が適用された販売価格を提供するジャックポット割引率を用いた電子商取引システムに関する。
【背景技術】
【０００２】
最近、インターネットと通信技術の発達により、インターネットを用いて物品を売買する取引形態である電子商取引が一般化している。ここで、電子商取引は、オンライン上で財貨やサービスを売買するあらゆる形態の取引を意味する。
【０００３】
従来技術による電子商取引ショッピングモールでは、予め定められた価格によって購買者が購入を決定する形態、すなわち、静的な価格（ｓｔａｔｉｃ  ｐｒｉｃｉｎｇ）で取引が行われている。このような静的な価格で取引が行われる場合には、購買者が多くの電子商取引サイトを移動しながら入札製品の価格を確認したり、別途の価格比較サイトで同一の入札製品に対する価格を比較したりして入札製品の購入を決定するため、多くの時間がかかり、参加者の興味を誘発することができなかった。
【０００４】
このような問題点を解決するために、動的な価格（ｄｙｎａｍｉｃ  ｐｒｉｃｉｎｇ）の初歩的な段階である競売（ａｕｃｔｉｏｎ）方式による取引が提案されており、購買者と販売者がオンライン上で価格交渉をできるようにする取引も提案された。
【０００５】
しかし、このような従来技術は、購買者又は販売者が当該ウェブサイトに再接続したり、電子メール（ｅ−ｍａｉｌ）などを介して、非連続的に希望する条件を提示し、確認するため、電子商取引に多くの時間がかかってしまい、参加者の興味を誘発することができず、多くの取引の機会を失うことになるという問題があった。
【発明の概要】
【発明が解決しようとする課題】
【０００６】
したがって、本発明の目的は、入札製品の販売による一定のレベルの収益が発生する場合、消費者に原価よりも低廉な価格で入札製品を購買する機会を提供するジャックポット割引率を用いた電子商取引システムを提供することにある。
【課題を解決するための手段】
【０００７】
上述した本発明の目的を達成するために、本発明の一実施例では、入札製品の販売情報を格納し、配信するウェブサーバ、及び前記ウェブサーバに有無線通信網を含むネットワークを介して接続し、選択的に入札製品の販売情報の提供を受け、前記ウェブサーバに購買情報を提供する複数の購買者端末機を含む電子商取引システムであって、前記ウェブサーバは、複数の購買者端末機から伝送された購買情報を格納し、蓄積された購買情報を分析してジャックポット割引率を抽出し、前記ジャックポット割引率が適用されたジャックポット価格を決定し、前記ジャックポット価格に関する情報を前記購買者端末機に提供することを特徴とする、ジャックポット割引率を用いた電子商取引システムを提供する。
【０００８】
また、本発明の目的を達成するために、本発明の他の実施例では、入札製品の販売情報を格納し、配信するウェブサーバ、及び前記ウェブサーバに有無線通信網を含むネットワークを介して接続し、選択的に入札製品の販売情報の提供を受け、前記ウェブサーバに購買情報を提供する複数の購買者端末機を含む電子商取引システムであって、前記ウェブサーバは、前記購買者端末機から要求信号が受信されることによって変動割引率を決定し、前記変動割引率が適用された前記入札製品のセール価格を決定し、前記セール価格に関する情報を前記要求信号を送信した購買者端末機に提供し、前記購買情報に基づいて電子商取引の収益率を分析して、前記収益率が指定収益率を超えると、超過収益率に応じて、入札製品の販売による期待収益及び変動割引率を超えたジャックポット割引率を抽出し、前記ジャックポット割引率が適用されたジャックポット価格を決定し、前記ジャックポット価格に関する情報を前記購買者端末機に提供することを特徴とする、ジャックポット割引率を用いた電子商取引システムを提供する。
【発明の効果】
【０００９】
本発明によれば、変動割引率だけでなく、ジャックポット割引率が適用された価格で入札製品を購買する機会を提供することによって、顧客の期待感を刺激してショッピングモールの訪問回数を増加させることができる。
【００１０】
そして、本発明は、一定レベル以上の収益が発生するに伴い、収益の一部を消費者に還元する方式を採択することで、顧客の満足度及び忠誠度を向上させることができる。
【００１１】
また、本発明によれば、購買者に、時間及び仮想マネーのいずれか１つを投資するようにして、基本販売価格よりも割引された価格で入札製品を購買できる機会を提供することができ、システム管理者は、購買者に仮想マネーの使用又は広告視聴を誘導して、入札製品の販売に対する中継手数料以外に、仮想マネーの販売及び広告費を通じた追加収入を得ることができる。
【００１２】
なお、本発明は、購買者に時間又はポイントの投資によって入札製品の購買価格を不規則に割引してくれるサービスを提供して購買者の興味を誘発することによって、入札製品の販売量を増加させることができる。
【００１３】
さらに、本発明は、購買者にポイントの使用による費用よりも入札製品を割り引く費用のほうがさらに大きくなり得るため、購買者に安価で入札製品を購入できる機会を提供する。
【図面の簡単な説明】
【００１４】
【図１】本発明の一実施例に係る電子商取引システムのオンライン接続の構成図である。
【図２】本発明に係るウェブサーバの一実施例を示す構成ブロック図である。
【図３】本発明の第１実施例による変動割引率を示すグラフである。
【図４】本発明の第２実施例による変動割引率を示すグラフである。
【図５】本発明の第３実施例による変動割引率を示すグラフである。
【図６】本発明の第４実施例による変動割引率を示すグラフである。
【図７】販売された入札製品のセール価格を連結したグラフである。
【図８】本発明に係る電子商取引方法の一実施例を示す動作フローチャートである。
【発明を実施するための形態】
【００１５】
以下、添付の図面を参照して、本発明の好ましい実施例に係るジャックポット割引率を用いた電子商取引システム（以下、「電子商取引システム」と略称する。）について詳細に説明する。
【００１６】
図１は、本発明の一実施例に係る電子商取引システムのオンライン接続の構成図である。
【００１７】
図１を参照すると、本発明に係る電子商取引システムは、ウェブサーバ３００、及び前記ウェブサーバ３００に有無線通信網を含むネットワーク（以下、「ネットワーク」と略称する）を介して接続された複数の購買者端末機１００を含む。
【００１８】
ここで、販売情報は、販売者端末機やウェブサーバ３００の自体のインターフェースを介してウェブサーバ３００にアップロードされて格納され、購買者端末機１００の要求に応じてウェブサーバ３００によって検索及び抽出される。そして、抽出された販売情報は、ウェブサーバ３００によって当該購買者端末機１００に伝送される。
【００１９】
以下、図面を参照して各構成要素別にさらに具体的に説明する。
【００２０】
図１を参照すると、本発明に係る電子商取引システムは購買者端末機１００を含む。
【００２１】
前記購買者端末機１００は、ネットワーク２００を介してウェブサーバ３００に接続して入札製品の販売情報を受信し、時間などによる変動割引率が適用されて決定される、いわゆる、タイムセール価格（以下、セール価格という）を確認するためにセール価格確認要求信号を送信し、入札製品の購買情報を送信する。ここで、セール価格確認要求信号は、仮想マネー決済、無料参加、及び広告視聴のいずれか１つを介して入力した要求信号で構成され得る。
【００２２】
より具体的に、購買者端末機１００は、入札製品の販売情報を受信し、前記販売情報をディスプレイできるように構成され、このような入札製品の販売情報には、入札製品の入札を選択するための項目（購買、予約、最大割引率表示など）及び入札関連情報、例えば、入札製品名、入札製品の写真、入札製品の特徴、販売者名、終了日時、残余販売数量などが含まれてもよい。
【００２３】
また、購買者端末機１００は、ネットワーク２００を介して接続したウェブサーバ３００からウェブページが提供されて画面に出力する。そして、購買者端末機１００は、ウェブページを介して変動割引率が適用されたセール価格を確認するために、ユーザから仮想マネー決済、無料参加、または広告視聴メニューのタッチ入力を受け、当該メニューを介したセール価格確認要求信号を伝達する。
【００２４】
例えば、購買者端末機１００は、仮想マネー決済を通じてセール価格確認要求信号をウェブサーバ３００に送信する場合、ウェブサーバ３００から数秒（約１秒前後）以内にセール価格に関する情報が提供されて画面を介して出力する。
【００２５】
そして、購買者端末機１００は、広告視聴を通じてセール価格確認要求信号をウェブサーバ３００に送信する場合、ウェブサーバ３００から１５〜２０秒程度の広告映像が伝送されて出力した後、ウェブサーバ３００からセール価格に関する情報が提供されて画面を介して出力する。
【００２６】
また、購買者端末機１００は、無料参加を通じてセール価格確認要求信号をウェブサーバ３００に送信する場合、ウェブサーバ３００から広告映像出力時間の２倍、例えば、３０秒のカウントダウン情報が伝送されて出力した後、ウェブサーバ３００からセール価格に関する情報が提供されて画面を介して出力する。
【００２７】
なお、購買者端末機１００は、ウェブサーバ３００からジャックポット価格に関する情報が提供されて画面を介して出力する。
【００２８】
このように、購買者端末機１００は、無線通信網や有線通信網を介して電子商取引サービスを提供するウェブサーバ３００に接続できる手段を意味する。このとき、無線購買者端末機１００としては、スマートフォン、コンピュータ、各種通信端末機、テレビジョン、有線電話などを使用することができる。
【００２９】
図２は、本発明に係るウェブサーバの一実施例を示す構成ブロック図である。図１及び図２を参照すると、本発明に係る電子商取引システムはウェブサーバ３００を含む。
【００３０】
前記ウェブサーバ３００は、ウェブサーバ自体で提供するウェブページを介して入札製品を購入する購買者に収益の一部を還元するように、制限された回数や制限された時間の間ジャックポット価格で入札製品を販売する構成である。
【００３１】
そのために、ウェブサーバ３００は、複数の購買者端末機１００から伝送された購買情報を格納し、蓄積（累積）された購買情報を分析してジャックポット割引率を抽出し、前記ジャックポット割引率が適用されたジャックポット価格を決定し、ジャックポット価格に関する情報を前記購買者端末機１００に提供する。
【００３２】
第１実施態様であって、本発明に係るウェブサーバ３００は、購買情報に基づいて電子商取引の収益率を分析し、前記収益率が指定収益率を超えると、超過収益率の区間別にジャックポット割引率を抽出し、前記ジャックポット割引率が適用されたジャックポット価格を決定する。次いで、前記ジャックポット価格に関する情報を前記購買者端末機１００に提供する。このとき、ジャックポット割引率は、入札製品の販売によるウェブサーバの運営者の期待収益を超えた範囲に設定されることが好ましい。
【００３３】
第２実施態様であって、本発明に係るウェブサーバ３００は、購買情報に基づいて累積された販売数量を分析して、前記販売数量の区間別に指定されたジャックポット割引率及びジャックポット割引率の適用回数を抽出し、前記ジャックポット割引率が適用されたジャックポット価格を決定する。そして、前記ジャックポット価格に関する情報を前記購買者端末機１００に提供する。例えば、ウェブサーバ３００は、入札製品の１００番目の販売と２００番目の販売との間からいずれか１つをランダムに選択して、ジャックポット価格が適用された入札製品の販売価格を購買者端末機１００に提供する。具体的に、ジャックポット割引率の適用回数は、入札製品の１０１〜２００番目の販売の間に１回、２０１〜３００番目の販売の間に２回、３０１〜４００番目の販売の間に３回などに指定することができる。
【００３４】
第３実施態様であって、本発明に係るウェブサーバ３００は、購買情報に基づいて累積販売回数を分析して、１００番目、２００番目などの販売回数別に指定されたジャックポット割引率を抽出し、前記ジャックポット割引率が適用されたジャックポット価格を決定する。その後、次いで前記ジャックポット価格に関する情報を購買者端末機１００に提供する。
【００３５】
より具体的に、前記ウェブサーバ３００は、図２に示したように、外部との通信のための通信手段３１０と、入札製品の販売情報及び購買情報が分類・格納されている情報格納手段３２０と、電子商取引の収益率や入札製品の累積された販売数量に応じて制限的にジャックポット割引率を抽出するジャックポット割引率抽出手段３３０と、システムの全体的な動作を制御し、ジャックポット割引率が適用された入札製品のジャックポット価格を決定するホスト部３４０と、インターネットのようなネットワーク２００に接続するためのネットワーク接続部３５０とを含んでなる。必要に応じて、前記ウェブサーバ３００には、ユーザインターフェースのための入力手段３６０がさらに含まれてもよい。
【００３６】
本発明に係る通信手段３１０は、ネットワーク２００を介して購買者端末機１００に入札製品の販売情報、例えば、販売数量、原価などを送信し、前記購買者端末機１００から送信された入札製品の購買情報を受信する。また、前記通信手段３１０は、ネットワーク２００を介して販売者端末機に接続され、販売者端末機（図示せず）から原価、総販売数量、最大割引率などが含まれた入札製品の販売情報を収集する。
【００３７】
本発明に係る情報格納手段３２０は、収集された入札製品の販売情報及び購買情報と、入札製品別の期待収益情報及び超過収益区間別のジャックポット割引率情報を格納するものであって、情報格納手段３２０は、多数個のデータベース（ＤＢ）を含み、好ましくは、販売情報ＤＢ、購買情報ＤＢ、入札製品当たりの販売による期待収益ＤＢ、及び超過収益別のジャックポット割引率ＤＢを含む。
【００３８】
前記販売情報ＤＢは、販売者及び入札製品に関する具体的な情報を含んでいるＤＢであって、入札製品の原価（開始価格）、総販売数量、最大割引率、入札製品名、入札製品の特徴、入札製品の写真、販売者のＩＤ及びパスワード、販売情報の格納日時、販売者の身元情報などに関する情報を含むことができる。このとき、前記販売情報ＤＢに格納された各入札製品の情報は、サービス会員として登録した購買者端末機１００を介していつでも部分的に照会することができる。
【００３９】
前記購買情報ＤＢは、購買者及び前記購買者が売買した入札製品に関する具体的な情報を含んでいるＤＢであって、売買した入札製品名、入札製品の取引日時、入札製品の販売価格、前記販売価格に適用された変動割引率、販売者に支払った販売金額、購買者のＩＤ及びパスワード、購買者の身元情報、残余販売数量などに関する情報を含むことができる。
【００４０】
前記入札製品当たりの販売による期待収益ＤＢには、販売が完了した場合にウェブサーバ３００の運営者が得られる入札製品別の収益金が格納される。
【００４１】
前記超過収益別のジャックポット割引率ＤＢには、ウェブサーバ３００の運営者が設定した基準収益を超えた収益が発生した場合、基準収益に対する超過収益率の区間別に指定されたジャックポット割引率が格納される。例えば、１％〜１０％未満の超過収益率が達成される場合には、ジャックポット割引率が６０％の割引率に指定され、１０％〜５０％未満の超過収益率が達成される場合には、ジャックポット割引率が７０％の割引率に指定され、５０％〜１００％未満の超過収益率が達成される場合には、ジャックポット割引率が８０％の割引率に指定され得る。必要に応じて、ジャックポット割引率は、最大１００％の割引率まで指定することができ、この場合、入札製品の販売価格は０ウォンになる。
【００４２】
本発明に係るジャックポット割引率抽出手段３３０は、リアルタイムで情報格納手段３２０に格納された購買情報及び期待収益ＤＢを介して電子商取引の収益率を分析し、前記収益率に応じてジャックポット割引率ＤＢからジャックポット割引率を抽出する。そして、ジャックポット割引率抽出手段３３０は、リアルタイムで情報格納手段３２０に格納された購買情報を通じて入札製品の累積された販売数量を分析し、販売数量の区間別又は販売数量の指定された販売回数に応じてジャックポット割引率ＤＢからジャックポット割引率を抽出する。
【００４３】
このとき、ジャックポット割引率の抽出は、制限された回数や制限された時間の間行われる。これは、ジャックポット割引率が適用されたジャックポット価格が購買者端末機に長時間露出してウェブサーバの運営者の累積収益率を急速に悪化させることを防止するためである。
【００４４】
具体的に、ジャックポット割引率抽出手段３３０は、電子商取引の収益率が予め指定された基準収益率を超えないと、ジャックポット割引率の抽出を停止する。また、ジャックポット割引率抽出手段３３０は、電子商取引の収益率が予め指定された基準収益率を超えると、超過収益率の区間別に設定されたジャックポット割引率を超過収益別のジャックポット割引率ＤＢから抽出する。
【００４５】
本発明に係る入力手段３６０は、入札製品の販売情報を前記通信手段３１０を介せずにウェブサーバ３００の管理者がウェブサーバ３００に直接アップロードできるように備えられたものであって、アップロードされた販売情報が格納されるように情報格納手段３２０に接続され得る。ここで、入力手段３６０としては、いずれのものを使用してもよい。
【００４６】
本発明に係るホスト部３４０は、購買者端末機１００からセール価格確認要求信号が受信された入札製品の販売価格（開始価格）に、ジャックポット割引率抽出手段３３０から抽出されたジャックポット割引率を適用して、入札製品のジャックポット価格を決定するもので、前記ジャックポット価格は、セール価格確認要求信号を提供した購買者端末機１００に伝送する。そのために、ホスト部３４０は、前記通信手段３１０、情報格納手段３２０及びジャックポット割引率抽出手段３３０に接続されて前記各手段を制御するためのプロセッサ３４２と、前記プロセッサ３４２を制御するためのプログラム３４６とを含む。
【００４７】
より具体的に、前記ホスト部３４０は、オペレーティングシステム（Ｏｐｅｒａｔｉｎｇ  Ｓｙｓｔｅｍ）３４４、ファイル３４８、及びファイル３４８を制御するためのプログラム３４６などが内蔵され、プロセッサ３４２を含むことができる。
【００４８】
前記プロセッサ３４２は、前記プログラム３４６に従って、情報格納手段３２０に格納された前記販売情報を分析して、最大割引率の範囲内で時間帯別の不規則な変動割引率が適用された入札製品のセール価格（セール販売価格）を決定し、前記セール価格を通信手段３１０を介して購買者端末機１００に伝送する。また、プロセッサ３４２は、セール価格確認要求信号が受信された時点でジャックポット割引率が抽出されると、ジャックポット割引率が適用された入札製品のジャックポット価格（ジャックポット販売価格）を決定し、前記ジャックポット価格を通信手段３１０を介して購買者端末機１００に伝送する。このようにジャックポット価格が決定された場合、プロセッサ３４２は、セール価格と共にジャックポット価格を購買者端末機１００に伝送するか、またはセール価格の代わりにジャックポット価格を購買者端末機１００に伝送する。このとき、プロセッサ３４２は、前記プログラム３４６に従って購買者端末機に指定された時間の間のみセール価格及びジャックポット価格を出力するように構成することができる。
【００４９】
必要に応じて、プロセッサ３４２は、情報格納手段３２０に格納された前記購買情報を分析して残り販売数量を計算し、残り販売数量を前記通信手段３１０を介して購買者端末機１００に伝送し、総販売数量が全て販売されると、購買者端末機１００による追加購買を制限することができる。
【００５０】
一方、ホスト部３４０は、購買者端末機１００から会員登録要求がある場合、前記購買者端末機１００から会員情報、例えば、氏名、マイナンバー、性別、年齢、アドレス、電子メールアドレス、無線端末機番号、ＩＤ、パスワードなどを受信し、これを認証してＩＤ及びパスワードを付与した後、関連する会員情報を情報格納手段３２０に格納するように動作することができる。
【００５１】
また、ホスト部３４０は、購買者端末機１００から入札製品の販売情報の伝送の要求がある場合、入札製品の販売情報が格納された情報格納手段３２０を検索し、当該販売情報を抽出した後、通信手段３１０を介して購買者端末機１００に当該販売情報を伝送する。
【００５２】
選択的に、ホスト部３４０は、購買者端末機１００の要求に応じて購買情報を分析して、別途の約定金額を支払った購買者端末機１００、及び所定の回数、例えば、５〜１００回以上の購買回数を有する当該購買者端末機１００に最大割引率に関する情報を伝送するように動作することができる。また、ホスト部３４０は、購買者端末機１００の要求に応じて購買者情報を分析して、一定金額以上のマイレージを所有した購買者端末機１００にも最大割引率に関する情報を伝送するように動作することができる。
【００５３】
なお、ホスト部３４０は、通信手段３１０を介して、購買者端末機１００から販売が完了した入札製品の予約要求が受信されると、購買情報を情報格納手段３２０に格納する。その後、当該入札製品の販売情報が販売者端末機１００から更新されると、ホスト部３４０は、前記情報格納手段３２０に格納された購買情報を用いて、予約を要求した購買者にＳＭＳ又はメールで当該入札製品の販売情報を発送するように動作することができる。
【００５４】
図３乃至図６は、本発明の一実施例による不規則な変動割引率を示すグラフである。
【００５５】
前記不規則な変動割引率としては、ダイレクト割引率、ランダム割引率、及びダイレクトランダム割引率のいずれか１つが使用されるか、または、ダイレクト割引率、ランダム割引率、及びダイレクトランダム割引率のいずれか１つがランダムに選択されて使用されてもよい。
【００５６】
より具体的に、前記ダイレクト割引率は、図３及び図４に示したように、時間単位別に規則的な上昇又は下落を行う割引率である。
【００５７】
前記ランダム割引率は、図５に示したように、時間単位別に不規則な上昇及び下落を繰り返す割引率である。
【００５８】
例えば、ランダム割引率としては、ランダムダウン割引率及びランダムアップ割引率が適用されてもよい。より具体的には、ランダムダウン割引率は、全体的に下落を行うが、時間単位別には上昇又は下落を行う割引率である。そして、ランダムアップ割引率は、全体的に上昇を行うが、時間単位別には上昇又は下落を行う割引率である。
【００５９】
前記ダイレクトランダム割引率は、時間単位別に規則的な上昇又は下落を行う途中で、不規則な上昇及び下落を繰り返す割引率である。
【００６０】
必要に応じて、ホスト部３４０は、図３に示したように、購買者端末機に露出される不規則な変動割引率グラフ及びジャックポット割引率のグラフに、不規則な変動割引率及びジャックポット割引率が適用された価格で入札製品を購買した購買者のＩＤが露出するようにグラフを構成することができる。これは、購買者に変動割引率及びジャックポット割引率が適用された価格で入札製品を購買した購買者を確認させて、変動割引率及びジャックポット割引率の実際の適用に対する事例を立証し、購買者に積極的に入札製品の購買を促す効果を提供する。
【００６１】
一方、前記ダイレクト割引率、ランダム割引率及びダイレクトランダム割引率は、一定時間が経過するたびに、割引率が最初の割引率から再び始まり得る。
【００６２】
このように、不規則な変動割引率は、ダイレクト割引率、ランダム割引率、ダイレクトランダム割引率がウェブサーバの管理者によって選択されたり、ホスト部３４０によってランダムに選択されたりして時間単位別に販売価格を決定するので、購買者は、当該時間別の入札製品の販売価格を予測することができない。
【００６３】
ただし、販売者は、販売者端末機を介してダイレクト割引率、ランダム割引率、及びダイレクトランダム割引率のいずれか１つを選択し、選択された割引率が入札製品の変動割引率として使用されるようにウェブサーバ３００に要求することができる。
【００６４】
必要に応じて、ホスト部３４０は、購買者端末機の要求に応じて、図７に示したように、販売された入札製品のセール価格を連結したグラフを出力する機能を提供することができる。
【００６５】
より具体的に、ホスト部３４０は、購買者が、購買者端末機を介して、販売された入札製品の実際のセール価格を容易に確認できるように、販売された入札製品のセール価格を連結したグラフを構成することができる。これは、購買者に、変動割引率グラフを排除し、販売された入札製品のセール価格に対する変動推移のみを直観的に認識できるようにすることによって、購買者に積極的に入札製品の購買を促す効果を提供する。
【００６６】
図８は、本発明の一実施例に係る電子商取引方法を示す動作フローチャートである。図８による電子商取引方法は、上述した電子商取引システムを通じて実行される。
【００６７】
図８に示したように、本発明に係る電子商取引方法は、販売者端末機がネットワーク２００を介してウェブサーバ３００に接続して販売情報を提供した後、入札製品の入札を要求するステップ（Ｓ１００）と、前記入札要求に応答して、前記ウェブサーバ３００は、当該購買者端末機１００のユーザを販売者として登録し、入札製品の販売情報を格納するステップ（Ｓ２００）と、購買者端末機１００がウェブサーバ３００に接続して入札製品のセール価格の確認を要求すると、前記ウェブサーバ３００は、時間帯別の不規則な変動割引率が適用されたセール価格（セール販売価格）を計算し、電子商取引の収益率別に制限された回数や制限された時間の間、ジャックポット割引率が適用されたジャックポット価格（ジャックポット販売価格）を計算し、前記セール価格及びジャックポット価格を当該購買者端末機１００に伝送するステップ（Ｓ３００）と、前記購買者端末機１００が入札製品の変更された販売価格を確認し、当該入札製品を購買すると、ウェブサーバ３００は、当該購買者端末機１００の購買情報を格納すると同時に、当該入札製品の販売情報をアップロードした販売者端末機１００に前記購買情報を提供するステップ（Ｓ４００）とを含むことができる。
【００６８】
より詳細には、ウェブサーバ３００によって図８のルーチンが行われることによって、電子商取引システムの動作が開始される。動作が開始されると、前記ウェブサーバ３００のホスト部３４０は、全体的な動作を制御し、各種データを情報格納手段３２０に格納するか、または情報格納手段３２０から読み込み、入力手段３６０を介してユーザ命令及びデータを受け付け、通信手段３１０及びネットワーク接続部３５０を介して外部機器との通信を行う。
【００６９】
本発明に係る電子商取引方法は、まず、購買者端末機１００がネットワーク２００を介してウェブサーバ３００の通信手段３１０に接続して販売情報を提供した後、入札製品の入札を要求する（Ｓ１００）。
【００７０】
その後、前記のように販売者端末機がウェブサーバ３００に入札を要求すると、ウェブサーバ３００は、入札要求に応答して、前記通信手段３１０に接続されたホスト部３４０のプロセッサ３４２が当該販売者端末機のユーザを販売者として登録し、入札製品の販売情報を情報格納手段３２０に格納する（Ｓ２００）。
【００７１】
次いで、購買者端末機１００が前記ウェブサーバ３００に接続して入札製品のセール価格の検索を要求すると、前記入札製品の入札が終了するまで、ホスト部３４０のプロセッサ３４２は、プログラム３４６に従って、情報格納手段３２０に格納された販売情報を分析して、最大割引率の範囲内で時間帯別の不規則な変動割引率が適用された前記入札製品のセール価格を計算し、セール価格を当該購買者端末機１００に提供する（Ｓ３００）。
【００７２】
そして、本ステップ（Ｓ３００）では、購買情報及び期待収益情報を分析して、指定収益率を超えた収益率が発生する場合、制限された回数や制限された時間の間ジャックポット割引率を抽出し、前記ジャックポット割引率が適用された前記入札製品のジャックポット価格を計算し、前記ジャックポット価格を当該購買者端末機１００に提供する。このとき、ウェブサーバは、超過収益率の代わりに、入札製品の累積された販売数量を分析して、販売数量の区間別に指定されたジャックポット割引率を抽出するか、または累積された販売回数を分析して、販売回数別に指定されたジャックポット割引率を抽出することができる。
【００７３】
また、本ステップ（Ｓ３００）では、情報格納手段３２０に格納された購買情報を分析して残り販売数量を計算し、これを購買者端末機１００に伝送する。
【００７４】
最後に、購買者が購買者端末機１００を介して入札製品の販売価格を確認し、当該入札製品を購買すると、ホスト部３４０は、当該購買者端末機１００の購買情報を情報格納手段３２０に格納すると同時に、当該入札製品の販売情報をアップロードした販売者の販売者端末機に購買情報を伝送する（Ｓ４００）。
【００７５】
一方、購買者端末機１００がネットワーク２００を介して入札製品の検索を要求する場合にウェブサーバ３００が前記入札製品の販売情報を提供する過程は、次の通りである。
【００７６】
購買者端末機１００がネットワーク２００を介してウェブサーバ３００に入札製品の検索を要求するステップ（Ｓ３１０）と、入札製品の残り販売数量が１個以上である場合には、ウェブサーバ３００を通じて残り販売数量を計算するステップ（Ｓ３２０）と、入札製品の残り販売数量が０個である場合には、当該入札製品の購買を制限し、ウェブサーバ３００を通じて入札製品の販売が中止されるという販売情報を生成するステップ（Ｓ３２５）と、前記購買者端末機１００が入札製品の検索を要求する時間帯に不規則な変動割引率が適用されたセール価格をウェブサーバ３００を通じて計算し、前記購買者端末機１００が入札製品の検索を要求する時点でジャックポット割引率が適用されたジャックポット販売価格をウェブサーバ３００を通じて計算するステップ（Ｓ３３０）と、前記販売情報の提供に関連してセール販売価格及びジャックポット価格をウェブサーバ３００に格納するステップ（Ｓ３４０）と、セール価格及びジャックポット価格を含む販売情報をネットワーク２００を介して購買者端末機１００に伝送するステップ（Ｓ３５０）とを含んでなる。
【００７７】
より具体的に、前記ステップ（Ｓ３１０）では、購買者端末機１００が入札製品の検索をウェブサーバ３００に要求すると、ウェブサーバ３００の通信手段３１０は、これを受信し、前記要求をホスト部３４０に伝達する過程を行う。
【００７８】
前記ステップ（Ｓ３２０）は、ウェブサーバ３００のホスト部３４０が当該入札製品の残り販売数量を計算するステップであって、ホスト部３４０は、購買者端末機１００から検索が要求された入札製品に対して、情報格納手段３２０を検索して入札製品に関する内容を抽出した後、前記入札製品の残り販売数量を計算する過程を行う。
【００７９】
前記ステップ（Ｓ３２５）では、ホスト部３４０によって検索された入札製品の残り販売数量が０個であると、ホスト部３４０は、当該入札製品の購買を制限し、入札製品の販売が中止されるという販売情報を生成する過程を行う。
【００８０】
前記ステップ（Ｓ３３０）では、ホスト部３４０が入札製品の販売価格を決定できるように、入札製品の販売価格の検索を要求する時間帯の不規則な変動割引率を適用させてセール価格を計算し、入札製品の販売価格の検索を要求する時点のジャックポット割引率を適用させてジャックポット価格を計算する過程を行う。このとき、ジャックポット割引率が抽出されると、ジャックポット価格を単独で販売情報に使用するか、またはセール価格及びジャックポット価格を共に販売情報に使用する。そして、ジャックポット割引率が抽出されない場合には、セール価格を単独で販売情報に使用する。
【００８１】
前記ステップ（Ｓ３４０）では、計算されたセール価格及びジャックポット価格をウェブサーバ３００の情報格納手段３２０に格納する過程を行う。
【００８２】
前記ステップ（Ｓ３５０）では、入札製品の購買を制限する情報又は入札製品の販売価格（セール価格及びジャックポット価格）が含まれた販売情報を購買者の購買者端末機１００に伝送する過程を行う。
【００８３】
一般的に販売者中心の電子商取引システムでは、全ての商品の価格が固定されている。しかし、流通期間が短い商品やサービスの場合、当該価格は、流通期間の終了日に近づくほど下がる可能性が高い。例えば、ホテルの空き客室、演劇や映画のような公演観覧券、航空券、高速バスや列車の乗車券、または既に市場に出荷されて、時間が経過するほど商品価値が落ちる花及び農水産物などの商品やサービスは、流通期間が経過する前に低い価格でも販売をすることが販売者の利潤を最大化させる。
【００８４】
時間が経過するほど、同一の商品やサービスをさらに低い価格で購買できるという事実は、購買欲求を増加させ、弾力的な価格形成を通じた取引は、販売者と購買者の両方に利潤を与えることができるが、流通期間が短い商品やサービスであっても、常に一定の割合で価格を引き下げる方法は、販売者の利得を最大化させる方法にはならない。
【００８５】
また、流通期間が短い商品やサービスとは異なり、流通期間が相対的に長い工業製品の場合に、所定時間の範囲内で時間が経過するほど同一の商品を相対的に低い価格で購買できるようにする電子商取引方法を用いると、購買者は、商品を購買する時点を最大限遅らせて最小の価格で入札製品を購買する方式を選択する可能性が高い。これは、販売者に入札製品の販売に対する利潤を減少させるだけでなく、商品の販売が遅延して商品に対する流通コストが増加し得る。
【００８６】
しかし、本発明に係る電子商取引システム及び方法は、限定された数量、例えば、１〜１００個前後の数量を販売すると同時に、購買者が特定の時間帯に入札製品の割引率を予測できないように動作することによって、価格の下落を待ちながら入札製品の購買を見送る状況を防止することによって、当該入札製品の流通コストを低減することができる。また、購買者が競争を通じて入札製品を先着順に購買するようにして、購買者に興味を誘発することができ、最大割引率が適用された時間帯以外にも入札製品を販売することによって、入札製品の販売利潤を極大化させることができる。なお、公開されていない最大割引率に関する情報の提供を受けるために別途の金額を入金する有料会員を確保できるので、入札製品の販売に対する手数料以外に、別途の利潤を得ることができる。さらに、公開されていない最大割引率に関する情報の提供を受けるために購買を持続する購買者を確保できるので、入札製品の販売に対する手数料を持続的に確保することができる。さらに、入札製品の販売中継を通じて得た収益の一部を購買者に還元（変動割引率の最大割引率より高い割引率が適用されたジャックポット割引率で製品を販売）することによって、購買者の忠誠度を向上させ、電子商取引の利用率を増加させることができる。
【００８７】
以上で本発明の好ましい実施例を参照して説明したが、当該技術分野における熟練した当業者は、下記の特許請求の範囲に記載された本発明の思想及び領域から逸脱しない範囲内で本発明を多様に修正及び変更できるということが理解できる。
【図１】
2019502205.tif 000003
【図２】
2019502205.tif 000004
【図３】
2019502205.tif 000005
【図４】
2019502205.tif 000006
【図５】
2019502205.tif 000007
【図６】
2019502205.tif 000008
【図７】
2019502205.tif 000009
【図８】
2019502205.tif 000010
【国際調査報告】
2019502205.tif 000011
2019502205.tif 000012
2019502205.tif 000013
2019502205.tif 000014